(57)【要約】【課題】  つなぎ記録時に、フィールド交番エラーやフィールド抜けのない、連続的な圧縮符号化ストリームを生成する。【解決手段】  ２４フレーム／秒の動画像データをフレーム内符号化、前方予測フレーム間符号化及び双方向予測フレーム間符号化の何れかを選択的に用いて符号化し、２−３プルダウンした３０フレーム／秒の動画像として表示するための動画像ストリームを生成する生成手段と、前記動画像ストリームにおけるフレーム内符号化フレームまたは前方予測フレーム間符号化フレームのうち、２−３プルダウンによる冗長フィールドを含み、且つボトムフィールドから表示を開始するフレームを検出し、編集開始ポイントとして設定する検出手段と、所定量の動画像ストリーム毎に、前記所定量の動画像ストリーム中の前記編集ポイントの有無を示すシステムデータを付加して記録媒体に記録する記録手段とを備える。【選択図】  図１０
2007081813.tif 000002
【特許請求の範囲】
【請求項１】
動画像データを入力する入力手段と、
前記入力手段により入力された２４フレーム／秒の動画像データをフレーム内符号化、前方予測フレーム間符号化及び双方向予測フレーム間符号化の何れかを選択的に用いて符号化し、２−３プルダウンした３０フレーム／秒の動画像として表示するための第１の動画像ストリームを生成する生成手段と、
前記第１の動画像ストリームにおけるフレーム内符号化フレームまたは前方予測フレーム間符号化フレームのうち、２−３プルダウンによる冗長フィールドを含み、且つボトムフィールドから表示を開始するフレームを検出し、編集開始ポイントとして設定する検出手段と、
所定量の前記第１の動画像ストリーム毎に、前記所定量の第１の動画像ストリーム中の前記編集ポイントの有無を示すシステムデータを付加して記録媒体に記録する記録手段とを備える記録装置。
【請求項２】
前記生成手段は更に、前記入力手段により入力された３０フレーム／秒の動画像データをフレーム内符号化、前方予測フレーム間符号化及び双方向予測フレーム間符号化の何れかを選択的に用いて符号化し、各フレームにおけるトップフィールドから表示を開始するよう第１の動画像ストリームを生成し、前記検出手段は、前記第２の動画像ストリーム中の全てのフレーム内符号化フレームと前方予測フレーム間符号化フレームを前記編集開始ポイントとして設定することを特徴とする請求項１記載の記録装置。
【請求項３】
前記記録媒体に記録された動画像ストリーム中の前記編集開始ポイントを検出し、前記編集開始ポイントより新たに前記第１の動画像ストリームまたは第２の動画像ストリームをつなぎ記録するよう前記記録手段を制御する制御手段を備えたことを特徴とする請求項２記載の記録装置。
【請求項４】
前記記録媒体は磁気テープであり、前記記録手段は前記磁気テープ上に多数のトラックを形成して前記動画像ストリームを記録することを特徴とする請求項１記載の記録装置。
【請求項５】
前記記録手段は、ｎトラック分の前記動画像ストリーム毎に前記システムデータを付加して記録することを特徴とする請求項４記載の記録装置。
【請求項６】
前記記録手段は、前記ｎトラック分の前記動画像ストリーム毎にエラー訂正符号化処理を施して記録することを特徴とする請求項５記載の記録装置。
【請求項７】
前記記録手段は、前記第１の動画像ストリームにおいて、２−３プルダウンによる冗長フィールドを含み、且つボトムフィールドから表示を開始するフレームから記録を開始することを特徴とする請求項１記載の記録装置。
【請求項８】
動画像データを入力する入力手段と、
前記入力手段により入力された２４フレーム／秒の動画像データをフレーム内符号化、前方予測フレーム間符号化及び双方向予測フレーム間符号化の何れかを選択的に用いて符号化し、３０フレーム／秒の動画像として表示するための動画像ストリームを生成する生成手段と、
前記動画像ストリームにおけるフレーム内符号化フレームまたは前方予測フレーム間符号化フレーム中、冗長フィールドを表示するか否かを示す第１の情報とトップフィールドから表示を開始するか否かを示す第２の情報とに基づいて所定のフレームを検出し、編集開始ポイントとして設定する検出手段と、
所定量の前記動画像ストリーム毎に、前記所定量の動画像ストリーム中の前記編集ポイントの有無を示すシステムデータを付加して記録媒体に記録する記録手段とを備える記録装置。
【発明の詳細な説明】
【技術分野】
【０００１】
本発明は、記録装置に関する。
【背景技術】
【０００２】
従来、撮影した画像信号を磁気テープに記録するビデオカメラが知られている。また、近年では、撮影した画像信号をＭＰＥＧ（Ｍｏｖｉｎｇ  Ｐｉｃｔｕｒｅ  Ｅｘｐｅｒｔｓ  Ｇｒｏｕｐ）方式で符号化して記録するビデオカメラも登場している。
【０００３】
一般に、この種のビデオカメラにおいては、ＮＴＳＣ方式に従う６０フィールド／秒の画像信号を撮影、記録している。また、この様な６０フィールド／秒の画像信号の他、映画の様な２４コマ（フレーム）の画像信号を撮影し、これを６０フィールドの画像信号に変換して記録する機能を備えるビデオカメラも登場している。
【０００４】
この様に映画等のフィルムソースをインターレースビデオ信号に変換する手段として、２−３プルダウンという手法が広く用いられている。すなわち、フィルムは秒間２４コマであるのに対し、ビデオが毎秒３０フレーム（６０フィールド）であるため、２−３プルダウンによりフィールド数変換を行う。具体的には図１に示すように、１フレーム毎に冗長フィールド（以下、リピートフィールドという）を挟むことで、フィールド数変換を行う。
【０００５】
このように、２−３プルダウンされたビデオ信号は、１フレーム毎にリピートフィールドを挟むため、２フレーム毎にトップフィールドから開始されるフレームと、ボトムフィールドから開始されるフレームが入れ替わる。
【０００６】
一方、通常の６０フィールドインターレースのビデオ信号をＭＰＥＧで記録する場合、通常トップフィールドから２フィールドを１フレームとして符号化するため、すべてのフレームがトップフィールドから始まるフレームとなる。
【０００７】
図２に示すように、ビデオカメラにおいて、２−３プルダウンして符号化したＭＰＥＧデータと、通常の６０フィールドの画像信号を符号化したＭＰＥＧデータとを、テープ上で繋ぎ記録しようとした場合を考える。その場合、接続するフレームによってはトップフィールドが連続するフィールド交番エラーとなり、再生時に画像が乱れてしまうことがある。
【０００８】
この解決方法として、たとえば特許文献１などが提案されている。特許文献１では、圧縮符号化単位をフィールド単位とし、符号化開始フィールドと終了フィールドを規定することから、ストリームの繋ぎ編集記録を実現するものである。
【特許文献１】特開平９−１２１３６０号公報
【発明の開示】
【発明が解決しようとする課題】
【０００９】
しかしながら、図３に示すように、特許文献１の装置では、符号化順にトップ・ボトムフィールドの順序を規定しているため、現実的に２−３プルダウンして符号化したＭＰＥＧとの繋ぎ編集記録を実現できない。繋ぎ編集記録の部分において、フィールド抜けが発生してしまう。
【００１０】
図３において、Ｔｏｐ＿ｆｉｅｌｄ＿ｆｉｒｓｔ、Ｒｅｐｅａｔ＿ｆｉｒｓｔ＿ｆｉｅｌｄはそれぞれ、ＭＰＥＧストリームの各フレームの先頭に付加される情報である。Ｔｏｐ＿ｆｉｅｌｄ＿ｆｉｒｓｔはそのフレームを表示する場合に、トップフィールド及びボトムフィールドのどちらを先に出力するかを示すフラグである。Ｔｏｐ＿ｆｉｅｌｄ＿ｆｉｒｓｔが１のときは、トップフィールドファーストであり、トップフィールドを先に表示する。Ｔｏｐ＿ｆｉｅｌｄ＿ｆｉｒｓｔが０のときは、ボトムフィールドファーストであり、ボトムフィールドを先に表示する。
【００１１】
また、Ｔｏｐ＿ｆｉｅｌｄ＿ｆｉｒｓｔが１のときは、そのフレームで最初に表示したフィールドを１フィールド分繰り返し表示する。また、Ｔｏｐ＿ｆｉｅｌｄ＿ｆｉｒｓｔが０のときは、そのフレームのトップフィールドとボトムフィールドをそれぞれ１フィールドづつ表示する。
【００１２】
また、図４に示すように、リピートフィールドに関する規定がないため、繋ぎポイントにおいて通常では発生しないデコード時間が発生する。領域４０１では、通常の６０フィールドインターレースにもかかわらずデコード時間が３フィールド分必要とする。このようなストリームは符号化及び復号化の段階で、様々な問題を発生させ易い。以上のような理由から、このような繋ぎ記録を許さないフォーマットとすることも考えられるが、特許文献１の装置では、この様な種々のフォーマット規格に対応、あるいは、符号化及び復号化に問題のない記録装置を提供することができなかった。
【００１３】
本発明の目的は、つなぎ記録時に、フィールド交番エラーやフィールド抜けのない、連続的な圧縮符号化ストリームを生成することである。
【課題を解決するための手段】
【００１４】
本発明は、動画像データを入力する入力手段と、前記入力手段により入力された２４フレーム／秒の動画像データをフレーム内符号化、前方予測フレーム間符号化及び双方向予測フレーム間符号化の何れかを選択的に用いて符号化し、２−３プルダウンした３０フレーム／秒の動画像として表示するための第１の動画像ストリームを生成する生成手段と、前記第１の動画像ストリームにおけるフレーム内符号化フレームまたは前方予測フレーム間符号化フレームのうち、２−３プルダウンによる冗長フィールドを含み、且つボトムフィールドから表示を開始するフレームを検出し、編集開始ポイントとして設定する検出手段と、所定量の前記第１の動画像ストリーム毎に、前記所定量の第１の動画像ストリーム中の前記編集ポイントの有無を示すシステムデータを付加して記録媒体に記録する記録手段とを備える。
【発明の効果】
【００１５】
つなぎ記録時に、フィールド交番エラーやフィールド抜けのない、連続的な圧縮符号化ストリームを生成可能である。
【発明を実施するための最良の形態】
【００１６】
以下、本発明の実施形態について説明する。図５は本発明の実施形態の一例を示す画像記録装置の構成例のブロック図である。この画像記録装置は、たとえば撮像素子から得られた情報をデジタル化した映像信号を入力すると、いわゆるＭＰＥＧ２方式に基づいて圧縮符号化し、磁気記録テープ等のシーケンシャルアクセス可能な記録媒体に記録可能な装置である。画像記録装置は、Ｉピクチャ、Ｐピクチャ及びＢピクチャのうちの少なくとも１つが含まれる圧縮符号化ビットストリームを記録媒体へ記録可能である。
【００１７】
Ｉピクチャは、フレーム符号化ピクチャであり、そのフレーム画像だけで符号化する画像である。Ｐピクチャは、順方向予測符号化ピクチャであり、過去のＩピクチャ又はＰピクチャのフレームを予測画像としてその差信号を符号化する画像である。Ｂピクチャは、両方向予測符号化ピクチャであり、過去及び未来のフレームの両方を予測画像としてその差信号を符号化する画像である。
【００１８】
本実施形態の記録再生装置は、３０フレーム／秒のプログレッシブ形式、３０フレーム／秒のインターレース形式、２４フレーム／秒のプログレッシブ形式を２−３プルダウンした形式の映像信号を選択的に記録可能である。
【００１９】
以下、３０フレーム／秒のプログレッシブ形式を「３０ｐ」、３０フレーム／秒のインターレース形式を「６０ｉ」、２４フレーム／秒のプログレッシブ形式を２−３プルダウンした形式を「２４ｐ」という。
【００２０】
まず、本実施形態におけるつなぎ記録に関連した記録開始フレーム、記録停止フレームの決定方法に関して説明する。
【００２１】
図６はＴｏｐ＿ｆｉｅｌｄ＿ｆｉｒｓｔ＝１の６０ｉ又は３０ｐのＭＰＥＧストリームに対し、２４ｐのＭＰＥＧストリームを繋ぎ記録した場合の様子を示す図である。図６（Ａ）は表示順でＴｏｐ＿ｆｉｅｌｄ＿ｆｉｒｓｔ＝１且つＲｅｐｅａｔ＿ｆｉｒｓｔ＿ｆｉｅｌｄ＝１への繋ぎ記録を行った様子を示している。図６（Ａ）では、記録開始位置において、２４ｐデータは、表示順で、トップフィールドから表示されており、再生時にも問題無く表示される。
【００２２】
また、符号順で、Ｔｏｐ＿ｆｉｅｌｄ＿ｆｉｒｓｔ＝０且つＲｅｐｅａｔ＿ｆｉｒｓｔ＿ｆｉｅｌｄ＝１のＩピクチャから記録を開始している。そのため、このＩピクチャは再生時には３フィールド期間表示されることになる。この際、ＭＰＥＧデータ中では、３番目のボトムフィールドのデータは１フィールド目のボトムフィールドのデータのコピーピクチャとなっており、デコードに要する時間は実質的に２フィールド期間で済む。
【００２３】
また、つなぎ位置の直前の６０ｉデータにおける最後のＢピクチャのデータの表示期間も２フィールドである。そのため、つなぎ部分において、この最後のＢピクチャを表示している間に２４ｐデータの先頭のＩピクチャのデータをデコードすることができる。
【００２４】
また、符号順で、先頭のＩピクチャに続く二つのＢピクチャは、それぞれ、３フィールド、２フィールドのデータであり、この２４ｐデータは、符号順でも、２フィールド、３フィールド、２フィールドの順で繰り返すことになり、やはり、問題は発生しない。
【００２５】
図６（Ｂ）は表示順でＴｏｐ＿ｆｉｅｌｄ＿ｆｉｒｓｔ＝１且つＲｅｐｅａｔ＿ｆｉｒｓｔ＿ｆｉｅｌｄ＝０への繋ぎ記録を行った様子を示している。
【００２６】
この場合、表示順ではトップフィールドから表示されており、再生時にも問題無く表示される。これに対し、符号順では、２フィールド、２フィールド、３フィールドと続くことになり、２−３プルダウンのシーケンスが崩れる個所が発生するため、好ましくない。
【００２７】
図６（Ｃ）は表示順でＴｏｐ＿ｆｉｅｌｄ＿ｆｉｒｓｔ＝０且つＲｅｐｅａｔ＿ｆｉｒｓｔ＿ｆｉｅｌｄ＝１への繋ぎ記録を行った様子を示している。ここでは、符号化されたストリームの先頭でフィールド抜け（フィールド交番エラー）が発生するため、好ましくない。
【００２８】
図６（Ｄ）は表示順でＴｏｐ＿ｆｉｅｌｄ＿ｆｉｒｓｔ＝０且つＲｅｐｅａｔ＿ｆｉｒｓｔ＿ｆｉｅｌｄ＝０への繋ぎ記録を行った様子を示している。ここでは符号化されたストリームの先頭でフィールド抜け（フィールド交番エラー）が発生するため、好ましくない。
【００２９】
この様に、本実施形態では、Ｔｏｐ＿ｆｉｅｌｄ＿ｆｉｒｓｔ＝１として記録した６０ｉまたは３０ｐのＭＰＥＧストリームに対して２４ｐのＭＰＥＧストリームをつなぎ記録する場合、符号化開始フレームをＴｏｐ＿ｆｉｅｌｄ＿ｆｉｒｓｔ＝１且つＲｅｐｅａｔ＿ｆｉｒｓｔ＿ｆｉｅｌｄ＝１（図６（Ａ））とする。
【００３０】
また、６０ｉ又は３０ｐのストリームから６０ｉ又は３０ｐのストリームへの繋ぎ記録の場合は、単にフィールド抜けが発生しないよう、つなぎ位置の前後のフレームで同じＴｏｐ＿ｆｉｅｌｄ＿ｆｉｒｓｔを持つように符号化すれば良い。２４ｐのストリームから２４ｐのストリームへの繋ぎ記録の場合は、単に２−３プルダウンの連続性を表示順で守るよう符号化開始フレームを決定すれば良い。
【００３１】
次に、２４ｐのＭＰＥＧストリームに対して６０ｉまたは３０ｐのＭＰＥＧストリームをつなぎ記録する際のつなぎ位置の決定方法について図６を用いて説明する。
【００３２】
図７は２４ｐのＭＰＥＧストリームに対し、Ｔｏｐ＿ｆｉｅｌｄ＿ｆｉｒｓｔ＝１の６０ｉ又は３０ｐのＭＰＥＧストリームを繋ぎ記録した場合の様子を示す図である。
【００３３】
図７（Ａ）は表示順でＴｏｐ＿ｆｉｅｌｄ＿ｆｉｒｓｔ＝１且つＲｅｐｅａｔ＿ｆｉｒｓｔ＿ｆｉｅｌｄ＝１からの繋ぎ記録を行った様子を示している。ここでは符号化されたストリームの先頭でフィールド抜け（フィールド交番エラー）が発生するため、好ましくない。
【００３４】
図７（Ｂ）は表示順でＴｏｐ＿ｆｉｅｌｄ＿ｆｉｒｓｔ＝１且つＲｅｐｅａｔ＿ｆｉｒｓｔ＿ｆｉｅｌｄ＝０への繋ぎ記録を行った様子を示す図である。ここではフィールドの連続性等に問題がなく、繋ぎ記録が可能である。
【００３５】
図７（Ｃ）は表示順でＴｏｐ＿ｆｉｅｌｄ＿ｆｉｒｓｔ＝０且つＲｅｐｅａｔ＿ｆｉｒｓｔ＿ｆｉｅｌｄ＝１への繋ぎ編集記録を行った様子を示す図である。６０ｉ又は３０ｐのストリームの先頭に復号化時間が３フィールドに相当する例外的なフレームが発生するため、好ましくない。
【００３６】
図７（Ｄ）は表示順でＴｏｐ＿ｆｉｅｌｄ＿ｆｉｒｓｔ＝０且つＲｅｐｅａｔ＿ｆｉｒｓｔ＿ｆｉｅｌｄ＝０への繋ぎ記録を行った様子を示す図である。ここでは符号化されたストリームの先頭でフィールド抜け（フィールド交番エラー）が発生するため、好ましくない。
【００３７】
この様に、本実施形態では、２４ｐのＭＰＥＧストリームに対して６０ｉまたは３０ｐのＭＰＥＧストリームをつなぎ記録する際、表示順で、２４ｐにおけるトップフィールドファースト（Ｔｏｐ＿ｆｉｅｌｄ＿ｆｉｒｓｔ＝１）であり、かつ冗長フィールド無し（Ｒｅｐｅａｔ＿ｆｉｒｓｔ＿ｆｉｅｌｄ＝０）のフレームに続けて記録すればよい。
【００３８】
また、６０ｉ又は３０ｐのストリームから６０ｉ又は３０ｐのストリームへの繋ぎ記録の場合は、単にフィールド抜けが発生しないよう同じＴｏｐ＿ｆｉｅｌｄ＿ｆｉｒｓｔを持つように符号化すれば良い。２４ｐのストリームから２４ｐのストリームへの繋ぎ編集記録は、単に２−３プルダウンの連続性を表示順で守るよう符号化終了フレームを決定すれば良い。
【００３９】
なお、ＭＰＥＧではＩ／Ｐピクチャが復号できなければ、Ｂピクチャのデータを復号できない。従って、２４ｐに対して６０ｉまたは３０ｐをつなぐ場合、Ｉ／Ｐピクチャからつなぐよう符号化する必要がある。
【００４０】
そこで、本実施形態では、ＭＰＥＧストリームを記録する際に、Ｉ／Ｐピクチャをつなぎ記録可能な編集ポイントに設定し、この編集ポイントの有無を示すデータをテープ上に記録している。
【００４１】
次に、図５の記録再生装置による具体的な処理について説明する。
【００４２】
図５において、５０１は６０ｉ、３０ｐ及び２４ｐの動画像データを入力する入力部である。５０２は、記録時においては入力された動画像データをＭＰＥＧ方式で符号化してＭＰＥＧストリームを生成し、再生時においては再生されたＭＰＥＧストリームを復号する符号化部である。５０３はメモリ、５０４は記録時にはエラー訂正符号化処理を行い、再生時にはエラー訂正復号を行ってエラーを訂正するエラー訂正処理部である。５０５は入力された２４ｐデータから２−３プルダウンによって挿入された冗長フレームを検出して削除する冗長フレーム削除部である。５０６は各部を制御する制御部、５０７は記録や再生スイッチなどの各種スイッチを有する操作部である。５０８は、記録時にはＭＰＥＧデータの記録再生に必要なデータを付加すると共に、再生時には再生データから付加データを検出する記録再生処理部である。５０９はテープ５１０に対してデータを記録再生する記録再生部、５１０は磁気テープ、５１１は出力部、５１２はデータバスである。
【００４３】
図５において、操作部５０７より記録開始の指示があると、制御部５０６は入力部５０１より入力されている動画像データの種類を判別し、６０ｉまたは３０ｐの場合にはそのまま符号化部５０２に送る。また、２４ｐであった場合、冗長フレーム削除部５０４により冗長フレームを削除した後、符号化部５０２に送る。
【００４４】
なお、６０ｉまたは３０ｐと２４ｐの判別方法については特に限定しない。例えば、各フィールドについて、フレーム間の差分を求め、差分が０もしくは極めて小さい場合には冗長フレームであると判別し、２４ｐとすることが考えられる。
【００４５】
符号化部５０２は入力された動画像データをＭＰＥＧ符号化し、更に、６０ｉ、３０ｐまたは２４ｐの何れであるかに応じてＴｏｐ＿ｆｉｅｌｄ＿ｆｉｒｓｔとＲｅｐｅａｔ＿ｆｉｒｓｔ＿ｆｉｅｌｄの値を決定し、フレーム毎に付加する。
【００４６】
符号化されたＭＰＥＧストリームはメモリ５０３に蓄積される。記録再生処理部５０８はメモリ５０３に蓄積されたＭＰＥＧストリームに対し、所定の付加情報や同期、ＩＤなどを付加する。エラー訂正処理部５０４はメモリ５０３に蓄積された所定量のデータに対してエラー訂正符号化処理を施す。記録再生部５０９はエラー訂正符号化処理されたデータをテープ５１０上の多数のトラックに記録する。
【００４７】
図８は磁気テープ５１０上の記録フォーマットを示す図である。
【００４８】
本実施形態では、テープ上で１６トラック分のデータを単位としてエラー訂正符号化処理を施している。この１６トラックをＥＣＣユニットと呼ぶ。また、ＭＰＥＧストリーム中、Ｉピクチャ、Ｐピクチャの先頭位置をつなぎ記録のための編集ポイントとし、その旨を示す付加情報を付加している。更に、本形態では、各ＥＣＣユニットの先頭部分に、そのＥＣＣユニット内の編集ポイントの数、及び編集ポイントが記録されているＥＣＣユニット内のトラック番号を示すシステムデータを付加して記録する。
【００４９】
図７を用いて説明したように、６０ｉまたは３０ｐのデータに対してつなぎ記録を行う場合、６０ｉまたは３０ｐのデータ中の全てのＩ、Ｐピクチャを編集ポイントに設定することが可能である。
【００５０】
しかし、２４ｐのデータについては、Ｉ，Ｐピクチャのうち、表示順で、トップフィールドファースト（Ｔｏｐ＿ｆｉｅｌｄ＿ｆｉｒｓｔ＝１）であり、かつ冗長フィールド無し（Ｒｅｐｅａｔ＿ｆｉｒｓｔ＿ｆｉｅｌｄ＝０）のフレームに続けてつなぎ記録を行う必要がある。
【００５１】
そこで、本実施形態では、２４ｐのデータを記録する場合には、Ｉ，Ｐピクチャのうち、表示順で、Ｔｏｐ＿ｆｉｅｌｄ＿ｆｉｒｓｔ＝１であり、かつＲｅｐｅａｔ＿ｆｉｒｓｔ＿ｆｉｅｌｄ＝０のフレームの次のＩ、Ｐピクチャを編集ポイントに設定する。
【００５２】
具体的には、図９に示すように、Ｔｏｐ＿ｆｉｅｌｄ＿ｆｉｒｓｔ＝１であり、かつＲｅｐｅａｔ＿ｆｉｒｓｔ＿ｆｉｅｌｄ＝０のＰピクチャ９０１の位置でつなぎ記録を行えばよい。従って、編集ポイントは、その次のＰまたはＩピクチャである９０２となる。９０２は、Ｔｏｐ＿ｆｉｅｌｄ＿ｆｉｒｓｔ＝０であり、かつＲｅｐｅａｔ＿ｆｉｒｓｔ＿ｆｉｅｌｄ＝１である。
【００５３】
図１０は制御部５０６による編集ポイントの設定処理を示すフローチャートである。図１０のフローは、１フレームのＭＰＥＧデータを処理する度に実行される。
【００５４】
まず、対象フレームがＩピクチャまたはＰピクチャであることを判別する（Ｓ１００１）。Ｉ／Ｐピクチャであった場合、更に、現在記録中の動画像データが６０ｉまたは３０ｐと２４ｐの何れであるかを判別する（Ｓ１００２）。６０ｉまたは３０ｐの場合、そのままＩ／Ｐピクチャを編集ポイントに設定する（Ｓ１００３）。また、２４ｐであった場合、更に、Ｔｏｐ＿ｆｉｅｌｄ＿ｆｉｒｓｔ＝０であり、かつＲｅｐｅａｔ＿ｆｉｒｓｔ＿ｆｉｅｌｄ＝１であるか否かを判別する（Ｓ１００４）。Ｔｏｐ＿ｆｉｅｌｄ＿ｆｉｒｓｔ＝０であり、かつＲｅｐｅａｔ＿ｆｉｒｓｔ＿ｆｉｅｌｄ＝１である場合、そのＩまたはＰピクチャを編集ポイントに設定する。Ｔｏｐ＿ｆｉｅｌｄ＿ｆｉｒｓｔ＝０であり、かつＲｅｐｅａｔ＿ｆｉｒｓｔ＿ｆｉｅｌｄ＝１でなかった場合には編集ポイントには設定しない。
【００５５】
このように、２４ｐのデータを記録する場合に、表示順で、トップフィールドファースト（Ｔｏｐ＿ｆｉｅｌｄ＿ｆｉｒｓｔ＝１）であり、かつ冗長フィールド無し（Ｒｅｐｅａｔ＿ｆｉｒｓｔ＿ｆｉｅｌｄ＝０）のＩ，Ｐピクチャに続けてつなぎ記録ができるよう、編集ポイントを設定することで、６０ｉ／３０ｐ／２４ｐの何れのデータをつなぎ記録した場合にも良好に再生することができる。
【００５６】
次に、再生時の処理について説明する。
【００５７】
操作部５０７により再生の指示があると、制御部５０６は記録再生部５０９を制御し、テープ５１０からデータを再生する。エラー訂正処理部５０４は再生データ中のエラーを訂正し、メモリ５０３に送る。記録再生処理部５０８はメモリ５０３に記憶されたデータよりシステムデータなどの付加情報を検出して制御部５０６に送る。符号化部５０２はメモリ５０３に記憶されたＭＰＥＧデータを復号して出力部５１１より出力する。
【００５８】
次に、つなぎ記録時の処理について説明する。
【００５９】
６０ｉ／３０ｐあるいは２４ｐのデータが既に記録されているテープ５１０に対して新たに画像データを記録する場合、まず、制御部５０６は電源投入時などに、現在のテープ位置に最も近い編集ポイントを検出する。
【００６０】
具体的には、記録再生部５０９を制御してテープ５１０よりデータを再生し、各ＥＣＣユニットのシステムデータを確認する。そして、編集ポイントを含むＥＣＣユニットのデータを再生し、メモリ５０３に蓄積した状態でテープ５１０の搬送を停止すると共に、所定量巻き戻して記録ポーズ状態とする。
【００６１】
この状態で記録開始の指示があると、メモリ５０３に蓄積されたＥＣＣユニットにおける編集ポイント以降に入力されたＭＰＥＧデータを合成して新たにＥＣＣユニットを生成し、エラー訂正符号化する。そして、テープ５１０上でこの編集ポイントを含むＥＣＣユニットのトラック位置より上書き記録することで、つなぎ記録を開始する。
【００６２】
なお、２４ｐのデータを記録する際の記録開始フレームについては、図６を用いて説明した通りである。６０ｉまたは３０ｐのデータを記録する場合には、何れのフレームから記録を開始してもよい。
【００６３】
この様に、本実施形態によれば、６０ｉ及び、３０ｐ及び、２４ｐのいずれの形式の符号化ストリームであっても、良好に繋ぎ記録可能な画像記録装置を提供できる。
【００６４】
なお、本実施形態では、６０ｉまたは３０ｐのデータの記録を開始する際に、Ｔｏｐ＿ｆｉｅｌｄ＿ｆｉｒｓｔ＝１としていたが、Ｔｏｐ＿ｆｉｅｌｄ＿ｆｉｒｓｔ＝０として記録を開始する場合には、２４ｐ記録の際の編集ポイントもＴｏｐ＿ｆｉｅｌｄ＿ｆｉｒｓｔ＝１且つＲｅｐｅａｔ＿ｆｉｒｓｔ＿ｆｉｅｌｄ＝１に変更する。
【図面の簡単な説明】
【００６５】
【図１】２−３プルダウンを説明する図である。
【図２】つなぎ記録時のフィールド交番エラーを説明する図である。
【図３】つなぎ記録時にエラーが発生する一例を説明する図である。
【図４】つなぎ記録時にエラーが発生する一例を説明する図である。
【図５】本発明の実施形態による画像記録装置の構成例を示すブロック図である。
【図６】記録開始フレームの選択処理を示す図である。
【図７】つなぎ記録位置の選択処理を示す図である。
【図８】テープ上の記録フォーマットを示す図である。
【図９】編集ポイントの選択処理を示す図である。
【図１０】編集ポイントの設定処理を示すフローチャートである。
【図１】
2007081813.tif 000003
【図２】
2007081813.tif 000004
【図３】
2007081813.tif 000005
【図４】
2007081813.tif 000006
【図５】
2007081813.tif 000007
【図６】
2007081813.tif 000008
【図７】
2007081813.tif 000009
【図８】
2007081813.tif 000010
【図９】
2007081813.tif 000011
【図１０】
2007081813.tif 000012